(57)【特許請求の範囲】
【請求項１】
（ｉ）患者から単離された血小板試料中の、モノアミンオキシダーゼ‐Ｂ、凝固第ＸＩＩＩａ因子、全トロポミオシン（αおよびβ）、およびアポリポタンパク質Ｅ４（ＡｐｏＥ４）の４つの血小板タンパク質の発現量を測定すること；ならびに、
（ｉｉ）（ｉ）の結果を対照値に比較すること、
を含む、患者におけるアルツハイマー病の診断を支援する生体外における方法であって、対照値より高い結果がアルツハイマー病の指標となり、（ｉ）が野生型ＧＳＴＯ‐１または変異型ＧＳＴＯ‐１のいずれかの発現量を測定することをさらに含み、患者に１つまたは２つのＡｐｏＥ４対立遺伝子がある場合、変異型ＧＳＴＯ‐１の発現量を測定し、患者にＡｐｏＥ４対立遺伝子がない場合、野生型ＧＳＴＯ‐１の発現量を測定する、生体外における方法。
【請求項２】
ＷＤ‐リピートタンパク質１の発現量を測定することをさらに含む請求項１に記載の方法。
【請求項３】
対照値より高い結果がアルツハイマー病の陽性診断に合致する請求項１または２に記載の方法。
【請求項４】
血小板タンパク質の発現における生物学的なばらつきが１４‐３‐３タンパク質ガンマの発現を基準とすることにより正規化される、請求項１〜３のいずれかに記載の方法。
【請求項５】
請求項１〜４のいずれかに記載の診断支援法に包含される１つ以上の血小板タンパク質の発現量における生物学的なばらつきを正規化するための、１４‐３‐３タンパク質ガンマの発現量の使用。
【請求項６】
１４‐３‐３タンパク質ガンマが、定量されるタンパク質として、同じ血小板試料中に存在する、請求項５に記載の１４‐３‐３タンパク質ガンマの発現量の使用。
【請求項７】
モノアミンオキシダーゼ‐Ｂ、凝固第ＸＩＩＩａ因子、トロポミオシン（αおよびβ）、ＡｐｏＥ４、および野生型ＧＳＴＯ−１タンパク質または変異型ＧＳＴＯ−１タンパク質
の５つの血小板タンパク質の、担体上に固定された１つ以上のリガンド、並びに１４‐３‐３タンパク質ガンマの、担体上に固定された１つ以上のリガンドを含む固体担体。
【請求項８】
ＷＤ‐リピートタンパク質１の１つ以上のリガンドをさらに含む請求項７に記載の固体担体。
【発明の詳細な説明】
【技術分野】
【０００１】
本発明は、アルツハイマー病の末梢バイオマーカーを定量することを用いた生体外における診断法に関する。
【背景技術】
【０００２】
アルツハイマー病は神経変性障害であり、全世界で、約２千４百万の人々を苦しめている。該疾患は、大脳皮質および脳の特定の皮質下領域におけるニューロンおよびシナプスの喪失がもたらす認識および行動機能障害を特徴とする。
【０００３】
該疾患は、最終的に診断がつく何年も前に、発症している可能性がある。初期では、短期記憶障害が一般的な症状である。後の症状には、混乱、怒り、気分変動、言語障害、長期の記憶喪失・障害、ならびに感覚および身体機能の全般的な低下が含まれる。
【０００４】
アルツハイマー病は、高齢者で最も一般的な種類の認知症であり、全認知症患者のほぼ半数に影響を及ぼしている。それに一致して、加齢が該疾患の主要な危険因子である。６５歳の人では、２〜３％が該疾患の兆候を示すのに対し、８５歳の人では２５〜５０％がアルツハイマー病の症状をもち、さらにより多くの人が特徴的な症状はないものの若干の該疾患の病理学的特徴をもっている。世界保健機関の推定では、全世界で、アルツハイマー病およびその他の認知症に関する全障害調整生存年数（ＤＡＬＹ）は、２００５年に、一千百万人を超え、推定年３．４％で増えている。現在、アルツハイマー病の治療法は知られておらず、施すことができる治療は、比較的小さい症状面での有益性を提供し、実際は苦痛を一時的に緩和するものである。
【０００５】
鬱病はアルツハイマー病における一般的な初期の症状であり、他の要因のなかでも特に、モノアミンオキシダーゼ（ＭＡＯ）酵素の上方制御に寄与されると考えられている。この酵素には２つのアイソフォーム、ＭＡＯ‐ＡおよびＭＡＯ‐Ｂがある。双方とも中枢神経系（ＣＮＳ）の細胞の至るところに見られ、そこで、フェネチルアミンおよびドーパミンなどのモノアミン神経伝達物質を不活性化する働きをする。また、ＭＡＯ‐Ｂは、血小板でも豊富である。
【０００６】
アルツハイマー病の発症および進行はアミロイドプラークおよび神経原線維変化の発生に関連する。アミロイドプラーク（「老人斑」としても知られている）は、膜貫通タンパク質アミロイド前駆体タンパク質（ＡＰＰ）に由来するタンパク質であるβ‐アミロイドの高密度の不溶性の堆積を含む。ＡＰＰのタンパク質分解に続いて、ベータ‐アミロイドタンパク質は細胞外に凝集して、プラークを形成する。神経原線維変化は、ＣＮＳに豊富にある微小管関連タンパク質であるタウの過剰リン酸化によって形成される。複数の過剰リン酸化されたタウ分子は絡まって神経細胞体内に塊を形成する。そのような神経原線維変化は微小管の崩壊を引き起こし、ニューロン輸送系の崩壊をもたらす。
【０００７】
アルツハイマー病は、通常、患者の病歴、身内の観察および臨床観察から臨床的に診断される。しかしながら、アミロイドプラークおよび神経原線維変化などのアルツハイマー病に特徴的な神経系および神経心理的特徴の存在は、死後に調べられるだけのことが多い。
【０００８】
アルツハイマー病の多くの症例は家族性の遺伝的性質を示さないが、少なくとも８０％の散発性アルツハイマーの症例では、遺伝的危険因子を伴う。アポリポタンパク質Ｅ（ＡｐｏＥ）遺伝子のε４対立遺伝子の遺伝は、最大５０％の遅発型の散発性アルツハイマー
症例の発生危険因子と見なされている。
【０００９】
グルタチオン  Ｓ‐トランスフェラーゼ  オメガ‐１（ＧＳＴＯ‐１）は、還元されたグルタチオン（ＧＳＨ）のさまざまな求電子性の中心をもつ疎水性の基質との接合を触媒する酵素であるグルタチオン  Ｓ‐トランスフェラーゼファミリ―の構成酵素である。ＧＳＴＯ‐１をコードする遺伝子には、異なる遺伝子アイソフォームが存在することが知られている。これらのアイソフォームは、アルツハイマー病およびパーキンソン病の発症年齢（ＡＡＯ）に相関する（Ｌｉ，  Ｙ  ｅｔ  ａｌ．，  Ｈｕｍ  Ｍｏｌ  Ｇｅｎｅｔ．
（２００３）  １２（２４）：３２５９−６７）。Ｌｉと同僚は、ＧＳＴＯ‐１ｈ  ＳＮＰ  ７‐１（ｒｓ４８２５、Ａ  ヌクレオチド）は、アルツハイマー病については、６．８（＋／−４．４１）年、パーキンソン病については、８．６（＋／−５．７１）年のＡＡＯ遅延に関連すると記載している（（Ｌｉ，  Ｙ  ｅｔ  ａｌ．，  Ｎｅｕｒｏｂｉｏｌ  Ａｇｉｎｇ  （２００６）  ２７（８）：１０８７−９３）。
【００１０】
神経障害の診断マーカーは、治療化合物が最大の潜在的効果を有する疾患経過の初期における診断に、特に重要である。しかしながら、正確な診断は難しい。利用可能な初期神経障害の診断マーカーはほとんどなく、利用可能なものは、試料材料（例えば、脳脊髄液）の分析に依存し、その試料は、採取が難しく、痛みを伴う。
【００１１】
したがって、容易に採取可能な患者試料から末梢的に利用可能であるアルツハイマー病のバイオマーカーを用いた新しい診断法をみつける必要があり、それによって、簡素かつ正確に診断する助けとなる。
【発明の概要】
【００１２】
本発明の第１の態様は、
（ｉ）患者からの血小板試料中の、モノアミンオキシダーゼ‐Ｂ、凝固第ＸＩＩＩａ因子、全トロポミオシン、ＷＤ‐リピートタンパク質１およびアポリポタンパク質Ｅ４から選ばれる少なくとも４つの血小板タンパク質の発現量を測定すること；ならびに、
（ｉｉ）（ｉ）の結果を対照値に比較すること、
を含むアルツハイマー病の診断を支援する生体外における方法であって、対照値より高い結果がアルツハイマー病の指標となる生体外における方法を提供する。
本発明の第２の態様は、本発明の第１の態様による診断法に包含される１つ以上の血小板タンパク質の発現量における生物学的なばらつきを正規化するための、表３または表４に特定されている１つ以上のタンパク質の使用を対象とする。
本発明の第３の態様は、モノアミンオキシダーゼ‐Ｂ、凝固第ＸＩＩＩａ因子、全トロポミオシン、ＷＤ‐リピートタンパク質１およびＡｐｏＥ４から選ばれる少なくとも４つの血小板タンパク質の、担体上に固定された１つ以上のリガンドを含む固体担体を提供する。
【図面の簡単な説明】
【００１３】
【図１】図１は、モデル１、２および３のそれぞれのアルゴリズムを使用するための判断プロセスを図示する。
【図１Ｂ】図１Ｂは、モデル４のアルゴリズムを使用するための判断プロセスを図示する。
【図２ａ】図２ａは、それぞれ、モデル１を使った発見セットのＲＯＣ曲線および散布図を示す。
【図２ｂ】図２ｂは、それぞれ、モデル１を使った発見セットのＲＯＣ曲線および散布図を示す。
【図２ｃ】図２ｃは、それぞれ、モデル１を使った検証セットのＲＯＣ曲線および散布図を示す。
【図２ｄ】図２ｄは、それぞれ、モデル１を使った検証セットのＲＯＣ曲線および散布図を示す。
【図３ａ】図３ａは、それぞれ、モデル２を使った発見セットのＲＯＣ曲線および散布図を示す。
【図３ｂ】図３ｂは、それぞれ、モデル２を使った発見セットのＲＯＣ曲線および散布図を示す。
【図３ｃ】図３ｃは、それぞれ、モデル２を使った検証セットのＲＯＣ曲線および散布図を示す。
【図３ｄ】図３ｄは、それぞれ、モデル２を使った検証セットのＲＯＣ曲線および散布図を示す。
【図４ａ】図４ａは、それぞれ、モデル３を使った発見セットのＲＯＣ曲線および散布図を示す。
【図４ｂ】図４ｂは、それぞれ、モデル３を使った発見セットのＲＯＣ曲線および散布図を示す。
【図４ｃ】図４ｃは、それぞれ、モデル３を使った検証セットのＲＯＣ曲線および散布図を示す。
【図４ｄ】図４ｄは、それぞれ、モデル３を使った検証セットのＲＯＣ曲線および散布図を示す。
【図５】図５は、モデル４のＲＯＣ曲線を示す。
【図６】図６は、１４‐３‐３ガンマが内部抽出標準として適していることを示す１Ｄ  ウェスタンブロットである。
【図７】図７は、タンパク質測定のみ（Ｐ＜０．０１）、および続いて内部抽出タンパク質１４‐３‐３ガンマ（Ｐ＜０．０００００００７）を用いて正規化した後に分析したＭａｏ‐Ｂ発現の増加の比較である。
【図８】図８は、内部抽出標準としてＥＲＫ２を適用した代表的なウェスタンブロットである。
【図９】図９は、３つのＧＳＴＯ‐１アイソフォームの２Ｄウェスタンブロットを示す。
【図１０】図１０は、モデル１を使った、アルツハイマー病患者試料およびパーキンソン病患者試料についての散布図を示す。
【図１１】図１１は、モデル２を使った、アルツハイマー病患者試料およびパーキンソン病患者試料についての散布図を示す。
【図１２】図１２は、モデル３を使った、アルツハイマー病患者試料およびパーキンソン病患者試料についての散布図を示す。
【発明を実施するための形態】
【００１４】
本発明は、血小板タンパク質モノアミンオキシダーゼ‐Ｂ、凝固第ＸＩＩＩａ因子、α‐トロポミオシン、β‐トロポミオシン、ＷＤ‐リピートタンパク質１およびアポリポタンパク質Ｅ４（ＡｐｏＥ４）の発現が、年齢および性別が一致する健常対照者と比較して、アルツハイマー病患者において著しく変わるという驚くべき認識に基づく。したがって、これらの血小板タンパク質は、該疾患のバイオマーカーとして機能する。更に、ｗｔＧＳＴＯ‐１（１４０位がアラニン）がＡｐｏＥ４対立遺伝子を１つももたないアルツハイマー病患者において過剰出現し、一方、ｗｔＧＳＴＯ‐１は、ＡｐｏＥ４陽性のアルツハイマー病患者では、過少出現することが見いだされた。
【００１５】
本発明は、患者におけるアルツハイマー病の診断を支援する生体外における方法であって、患者からの血小板試料におけるモノアミンオキシダーゼ‐Ｂ、凝固第ＸＩＩＩａ因子、全トロポミオシン（αおよびβ）、ＷＤ‐リピートタンパク質１ならびにＡｐｏＥ４から選ばれる、少なくとも４つの血小板タンパク質の発現量を測定する工程、ならびに総発現量（標準存在量として測定される）を対照値と比較する工程を含み、対照値より高い結
果がアルツハイマー病の指標となる方法を提供する。したがって、対照値より高い結果を使って、アルツハイマー病陽性であると診断することができる。
【００１６】
本発明の方法を、ミニメンタルステート試験（ＭＭＳＥ）スコアおよび医師との相談などの他の方法と併せて、アルツハイマー病の診断を支援するために使用することができる。
【００１７】
本明細書で使用する場合、「患者」という用語は、アルツハイマー病を有すると疑われる哺乳類、好ましくはヒト、または該疾患に対する素因を有すると思われる人を指す。
【００１８】
好ましい実施形態では、試料材料は単離した血小板溶解物であり、それは例えば標準的な静脈切開技法を使うことによって得られる。
【００１９】
「アイソフォーム」という用語は、本願明細書において、別のタンパク質として等価の機能をもち、類似または同一の配列であるが異なる遺伝子によりコードされるタンパク質として定義される。
【００２０】
本明細書で使用する場合、「遺伝子産物」という用語は、遺伝子の転写によって生ずるｍＲＮＡまたはタンパク質生成物を指す。
【００２１】
本明細書で使用する場合、「発現量（発現レベル）」という用語は、試料として採取した血小板中の特定のタンパク質（またはそのタンパク質をコードするｍＲＮＡ）の量を指す。タンパク質発現量を測定する技術は、当業者に明らかであると思われ、バイオチップアレイ技術または２Ｄ  ＤＩＧＥ（ディファレンシャルゲル二次元電気泳動）の使用が挙げられる。
【００２２】
好ましくは、特定の血小板タンパク質の発現量を、「標準存在量」の点から定量し、それは、血小板タンパク質の濃度における自然のばらつきを考慮に入れる数値を提供する。標準存在量の値は、公知の対照値との比較を可能にする。
【００２３】
「末梢バイオマーカー」という用語は、血小板中に末梢的に存在するタンパク質として定義され、そのタンパク質の末梢性発現における変化は、ＣＮＳにおける病理的に著しい変化を反映し、そのような変化はアルツハイマー病の病理学に関連する。
【００２４】
本明細書で使用する場合、「ＧＳＴＯ‐１」という用語は、ＥＣ  ２．５．１．１８として特定され、ＵｎｉＰｒｏｔＫＢ／ＳｗｉｓｓＰｒｏｔプライマリーアクセッション番号Ｐ７８４１７（配列第２版）を有するタンパク質、またはその変異体およびアイソフォームを指す。
【００２５】
本明細書で使用する場合、「モノアミンオキシダーゼ」または「ＭＡＯ」という用語は、ＥＣ  １．４．３．４として特定され、モノアミンの酸化を触媒する酵素であるタンパク質を指す。ヒトでは、ＭＡＯの２つの形があり、ＭＡＯ‐Ａは、ＵｎｉＰｒｏｔＫＢ／ＳｗｉｓｓＰｒｏｔプライマリーアクセッション番号Ｐ２１３９７を有し、ＭＡＯ‐Ｂは、ＵｎｉＰｒｏｔＫＢ／ＳｗｉｓｓＰｒｏｔプライマリーアクセッション番号Ｐ２７３３８を有する。双方とも、ニューロンおよび星状膠細胞に存在する。ＭＡＯ‐Ａは、肝臓、消化管および胎盤にも存在し、一方、ＭＡＯ‐Ｂは、血小板に見いだされる。
【００２６】
本明細書で使用する場合、「凝固第ＸＩＩＩａ因子」という用語は、ＵｎｉＰｒｏｔＫＢ／ＳｗｉｓｓＰｒｏｔプライマリーアクセッション番号Ｐ００４８８を有し、ヒトでは、Ｆ１３Ａ１遺伝子によりコードされるタンパク質を指す。凝固第ＸＩＩＩａ因子は、凝
固第ＸＩＩＩ因子の触媒的活性のあるサブユニットであり、血液凝固カスケードにおいてフィブリン塊を安定化する働きをする。
【００２７】
トロポミオシンは、アクチンの機械的構造を調節するアクチン‐結合タンパク質である。２つのトロポミオシン鎖は、集合して平行で重なり合ったコイルドコイル二量体を構築する。トロポミオシンアルファはヒトではＴＰＭ１遺伝子によりコードされ、ＵｎｉＰｒｏｔＫＢ／ＳｗｉｓｓＰｒｏｔプライマリーアクセッション番号Ｐ０９４９３を有する。トロポミオシンベータはヒトではＴＰＭ２遺伝子によりコードされ、ＵｎｉＰｒｏｔＫＢ／ＳｗｉｓｓＰｒｏｔプライマリーアクセッション番号Ｐ０７９５１を有する。本発明の方法のために、α‐トロポミオシンおよびβ‐トロポミオシンの標準存在量を合わせて、のちにアッセイに使用する「全トロポミオシン」の値を得る。
【００２８】
本明細書で使用する場合、「ＷＤ‐リピートタンパク質１」という用語は、ＵｎｉＰｒｏｔＫＢ／ＳｗｉｓｓＰｒｏｔプライマリーアクセッション番号０７５０８３を有するタンパク質を指す。ＷＤ‐リピートタンパク質１（アクチン相互作用タンパク質１としても知られている）は、ＡＤＦ／コフィリンファミリータンパク質と共にアクチンフィラメントの分解を誘導する働きをする、真核生物で高度に保存されたタンパク質である。
【００２９】
「ＡｐｏＥ」という用語は、アポリポタンパク質Ｅの略称である。ＡｐｏＥ２、Ｅ３およびＥ４として知られているＡｐｏＥの３つ主なアイソフォームがあり、それぞれ対立遺伝子、ε２、ε３およびｚ４でコードされる。ＡｐｏＥ３は最も一般的なアイソフォームである。ＡｐｏＥ４は、遅発性アルツハイマー病と関連していることが知られており、ε４対立遺伝子の２つのコピーを有することは、その対立遺伝子を１つ有するかまたは有さない場合より該疾患を発症する危険がより大きいことを示す。したがって、アルツハイマーの患者は、ＡｐｏＥ４および非ＡｐｏＥ４患者として分類される。
【００３０】
表１で詳説されるように、ＧＳＴＯ‐１遺伝子型分布は、ＡｐｏＥ３およびＡｐｏＥ４遺伝子型に依存し、非ＡｐｏＥ４アルツハイマー病患者およびパーキンソン病患者において著しく変わる。一般の集団における野生型（ＷＴ）ＧＳＴＯ‐１の通常の分布は、約４０％であり、一方、７３％の非ＡｐｏＥ４アルツハイマーの患者および７１％の非ＡｐｏＥ４パーキンソンの患者がＷＴ  ＧＳＴＯ‐１を有することが判明している。したがって、アルツハイマー病のリスクは、ＧＳＴＯ‐１表現型または遺伝子型分析を組み合わせてＡｐｏＥ４表現型または遺伝子型分析を使って決定される。
【００３１】
【表１】
0005878875.tif 000002
【００３２】
したがって、野生型ＧＳＴＯ‐１は、非ＡｐｏＥ４患者において有用なアルツハイマー病の末梢バイオマーカーであり、表１に示すように、それによって、アルツハイマー病とパーキンソン病との間の識別をつけることができる。
【００３３】
本発明の発明者らは、少なくとも４つのアルツハイマー病のバイオマーカーを組み合わせて使用することが、単一のバイオマーカー分析と比べて、より正確な診断を提供することを見いだした。したがって、本発明は、
（ｉ）患者からの血小板試料中の、モノアミンオキシダーゼ‐Ｂ、凝固第ＸＩＩＩａ因子、全トロポミオシン（αおよびβ）、ＷＤ‐リピートタンパク質１ならびにＡｐｏＥ４から選ばれる少なくとも４つの血小板タンパク質の発現量を測定する工程；ならびに、
（ｉｉ）（ｉ）の結果を対照値に比較する工程、
を含むアルツハイマー病の診断を支援する生体外における方法であって、対照値より高い結果がアルツハイマー病の指標となる生体外における方法を提供する。
【００３４】
好ましい実施形態では、本発明の方法の工程（ｉ）は、野生型または変異型ＧＳＴＯ‐１いずれかの発現量を測定することをさらに含む。どちらの型のＧＳＴＯ‐１をアッセイに含むかに関する判断は、患者のゲノム中のＡｐｏＥ４対立遺伝子の数を参照してなされる。したがって、本発明の方法の好ましい実施形態は、ＡｐｏＥ４対立遺伝子の数を測定することをさらに含む。患者が１または２つの対立遺伝子をもつ場合、変異型ＧＳＴＯ‐１の発現量を測定する。患者がＡｐｏＥ４対立遺伝子をもたない場合、野生型ＧＳＴＯ‐１の発現量を測定する。
【００３５】
好ましい実施形態では、各血小板タンパク質の発現量は、タンパク質量を正確に測定するタンパク質アッセイを用いて測定する。
【００３６】
好ましい実施形態では、各血小板タンパク質の発現量を、バイオチップアレイを使って測定する。固定化されたリガンドと形成した検出可能な相互作用によって試料中に存在するタンパク質を同定するように、その表面に固定化された、検出すべき血小板タンパク質のリガンドを有するバイオチップを、患者の血小板細胞溶解物試料と接触させ、次にバイオチップの表面を洗浄する。
【００３７】
ＡｐｏＥ４遺伝子型判定をタンパク質発現量にて行うために、ＡｐｏＥ４タンパク質量および全ＡｐｏＥ量の双方を測定する必要がある。
【００３８】
バイオマーカー統計分析の標準的な方法は、さまざまな群におけるバイオマーカー量に比較して、群の間で著しく異なる濃度のバイオマーカーを明らかにするために、一変量法を使用することである。
【００３９】
本発明の方法における使用に選択した個々のバイオマーカーを、受信者動作特性（ＲＯＣ）分析により分析する。それは、テストの感度（すなわち、真陽性の数）および特異性（すなわち、偽陽性の数）の双方を扱うので、ＲＯＣ曲線は診断テストの精度を評価する好ましい方法である。高感度および高特異性（感度および特異性の両方に関して約８０％が診断分野において一般に認められた値である）を与える１つ（または複数）のバイオマーカーが、ロジスティック回帰式の基準を形成する。バイオマーカーのタンパク質濃度の測定値をロジスティック回帰式に入力し、アルツハイマー病の診断を支援するために使用することができる最終的な値を得る。
【００４０】
複数のバイオマーカーについてＲＯＣ曲線を作成するために、患者の試料における各バイオマーカーのタンパク質濃度測定値をロジスティック回帰式に入力することによって、目的のバイオマーカーの組合せに関する式を導く。
【００４１】
当発明にとってロジスティック回帰式が好ましい統計の方法ではあるが、他の従来の統計方法を使用することができる。
【００４２】
例として、２つの仮想的検体、ＡおよびＢを考えたとき、検体Ａおよび検体Ｂについて導いたロジスティック回帰式は、
ｙ＝３．２０２７×ｌｏｇ［Ａ］−０．９５０６×ｌｏｇ［Ｂ］＋０．１５４８、であ
り、
式中、患者試料における、［Ａ］は検体Ａの測定濃度、および［Ｂ］は検体Ｂの測定濃度Ｂである。
【００４３】
ｙがＲＯＣ曲線で導いたカットオフ値を超える場合、患者におけるアルツハイマー病の診断を支持する。ｙがカットオフ値未満の場合、アルツハイマー病の診断を支持しない。
【００４４】
「対照値」および「カットオフ」という用語は、本願明細書において、互換可能的に使用され、本発明の方法にしたがって患者試料について得られた値を、アルツハイマー病の診断を支援するために比較する基準値を指す。
【００４５】
対照値を得るために、本発明の方法の工程（ｉ）に列挙されている血小板タンパク質の発現量を、健常な人の集団の試料から測定する。次に、単一のカットオフ値を得るために、ＲＯＣ曲線分析および線形回帰の統計ツールをその結果に適用する。
【００４６】
カットオフ値が対照集団の大きさによって異なることは理解されるであろう。対照集団内の生物学的なばらつきは、集団の大きさを増加させることによって減少する。したがって、対照値は、少なくとも３０人の健常人、好ましくは、少なくとも５０人の健常人、より好ましくは、少なくとも１００人の健常人を含む対照集団から導かれることが好ましい。
【００４７】
本発明の方法のさらなる実施例は、アルツハイマー病の診断のための４つの異なるモデルを提供し、これらを表２にまとめる。モデル１は、単一のアルゴリズムを含む。モデル２、３および４は、各々、２つのアルゴリズムを含み、ＡｐｏＥ４遺伝子型の存在または非存在に依存して選択される。所与の患者試料に対して最も適切なアルゴリズムを選択するための判断プロセスを図１に図示する。
【００４８】
モデル１
モデル１は、ＡｐｏＥ４の存在に依存しないアルゴリズムＡに基づく（すなわち、患者が０、１または２つのＡｐｏＥ４対立遺伝子を有するかどうかにかかわらず、このアルゴリズムを適用することができる）。「Ｘ」で指し示したアッセイの測定値の結果を合わせて加算する。
【００４９】
本明細書において記載されている４つのモデルの各々について、加重係数を各バイオマーカーの発現値に適用することができ、これらの値は、異なるバイオマーカーに対して違ってよく、アッセイがバイオチップまたは２Ｄ  ＤＩＧＥを使ってなされているかどうかに依存して違ってよい。
【００５０】
その最も単純な形態では、すべてバイオマーカーに対して、１の加重係数を使って、テスト対象の結果を以下の計算を適用することにより、モデル１を使って決定することになる：
１×標準存在量（Ｍａｏ‐Ｂ）＋１×標準存在量（全トロポミオシン）＋１×標準存在量（凝固第ＸＩＩＩａ因子）＋１×標準存在量（ｗｔＧＳＴＯ‐１）＋１×標準存在量（ＡｐｏＥ４）。
【００５１】
次に、その結果を対照値と比較する。対照より高い結果は、患者におけるアルツハイマー病の指標となる。
【００５２】
モデル２
モデル２は、非ＡｐｏＥ４アルツハイマー病患者におけるｗｔＧＳＴＯ‐１の過剰出現
を考慮する２つの異なるアルゴリズムを使用する。それぞれのアルゴリズムの使用は、患者におけるＡｐｏＥ４の存在または非存在に依存し、それによって、非ＡｐｏＥ４患者におけるｗｔＧＳＴＯ‐１の過剰出現を考慮する。ＡｐｏＥ４対立遺伝子が患者試料にない場合、アルゴリズムＡを使用する。そうでなければ、アルゴリズムＢを使用する。モデル１について上記で説明したように、加重係数を、各バイオマーカーの標準存在量に適用することによって結果を得る。
【００５３】
モデル３
モデル３もまた、２つの異なるアルゴリズムを使用する。モデル２と同様に、患者のゲノムにＡｐｏＥ４対立遺伝子がない場合、アルゴリズムＡを適用する。患者が１または２つのＡｐｏＥ４対立遺伝子をもつ場合、アルゴリズムＣを適用する。モデル１に関して上で説明したように、加重係数を、各バイオマーカーの標準存在量に適用することによって結果を得る。
【００５４】
モデル４
モデル４は、患者のゲノムにおけるＡｐｏＥ４の存在または非存在に依存して、異なるアルゴリズム（すなわち、ＤまたはＥ）を使用するという点で、モデル２および３に類似している。しかしながら、モデル４は、追加のバイオマーカーであるＷＤ‐リピートタンパク質１を含む。モデル１、２、３または４のアルゴリズムを使って計算して得られた値を、疾患の診断を支援するために、所定の対照値と比較する。どのように対照値を決定しうるかの説明を実施例１に提供する。
【００５５】
【表２】
0005878875.tif 000003
【００５６】
また、上記のモデル１〜４に記載されているアルゴリズムの各々は、患者のゲノムに存在するＡｐｏＥ４対立遺伝子の数に基づいて加重係数を含むこともできる。患者が１または２つのＡｐｏＥ４対立遺伝子を持つ場合、それぞれ、＋１または＋２の値を、所与のア
ルゴリズムに含まれている血小板タンパク質のすべてについて、全標準存在量値に加算する。次に、得られた値を、診断をつけるために対照と比較する。あるいは、患者がＡｐｏＥ４対立遺伝子をもたない場合、追加の加重係数は、全標準存在量値に加算されない。
【００５７】
本発明によれば、単離した血小板試料中の各々のバイオマーカーの総発現量を対照値と比較することによって、アルツハイマー病の診断を支援することができる。疾患の診断を、臨床観察および患者の病歴などの他の因子と組み合わせて、ならびに患者の以前のアッセイ結果を参照することにより達成してもよい。
【００５８】
しかしながら、血小板は血液中で濃縮の程度が異なっているため、血小板タンパク質の濃度もまた多様である。血小板が豊富な血漿およびゲル濾過された血小板中の血小板濃度に関する変動係数は、それぞれ、３８％および３２％であり、血小板数と血小板濃度との相関関係は乏しい（血小板数による血小板バイオマーカーの分析正規化に関してＫ＝０．５８）。これによって、血液試料中の血小板タンパク質の濃度は脳における病理学的な変化の測定に信頼できない指標となり、血小板タンパク質濃度を正規化するさらなる工程が必要とされる。
【００５９】
したがって、本発明は、「標準存在量」の点から血小板タンパク質の発現の正確な定量をすることができる内部抽出標準を利用する。
【００６０】
好ましい実施形態では、内部抽出標準は、ヒト血小板プロテオームから導かれ、血小板溶解物の患者試料、または対照試料中に存在する。
【００６１】
本明細書で使用する場合、「低い生物学的なばらつき」という用語は、０．１８より少ない変動係数（ＣＶ）値をもつ細胞抽出タンパク質を指す。
【００６２】
本明細書で使用する場合、「自然の生物学的なばらつきを正規化する」という用語は、サンプル間のより高い自然のばらつきをもつタンパク質の濃度を正確に決定することができる、サンプル間でごくわずかに異なるタンパク質の濃度に対応する基準値の使用を指す。
【００６３】
内部抽出標準の候補タンパク質を、バイオインフォマティクス分析、質量分析および２Ｄ  ＰＡＧＥを使って、１１０人の血小板プロテオーム内で９０８の異なるタンパク質の生物学的なばらつきを分析することにより特定した。ｐＨ４〜７の範囲のゲル上で特定された低い生物学的なばらつきをもつ候補を表３に列挙する。ｐＨ６〜９の範囲のゲル上で特定された低い生物学的なばらつきをもつ候補を表４に列挙する。
【００６４】
【表３】
0005878875.tif 000004
【００６５】
【表４】
0005878875.tif 000005
【００６６】
したがって、本発明の第２の態様は、本発明の第１の態様の方法に包含される１つ以上の血小板タンパク質の発現量における生物学的なばらつきを正規化するための、表３または４に列挙されている１つ以上のタンパク質の使用に関する。
【００６７】
好適なタンパク質を、それらのＳｗｉｓｓＰｒｏｔプライマリーアクセッション番号に従って特定できる。そのＳｗｉｓｓＰｒｏｔアクセッション番号は、各タンパク質をコードするｍＲＮＡ産物を特定する。
【００６８】
ＵｎｉＰｒｏｔＫＢ／ＳｗｉｓｓＰｒｏｔタンパク質知識ベース（ｋｎｏｗｌｅｄｇｅｂａｓｅ）は、ＳｗｉｓｓＰｒｏｔおよびＵｎｉＰｒｏｔ知識ベースタンパク質データベースの合併により設立された、注釈付きタンパク質配列データベースである。それは、スイスバイオインフォマティクス研究所（ＳＩＢ）、欧州バイオインフォマティクス研究所（ＥＢＩ）および国立生物医学研究財団によって、協力して維持されている。本明細書において参照されるＵｎｉＰｒｏｔＫＢ／ＳｗｉｓｓＰｒｏｔの公開は、２００８年４月８日付けのｖ５５．２であり、ｈｔｔｐ：／／ｅｘｐａｓｙ．ｏｒｇ／ｓｐｒｏｔにてアクセスすることができる。
【００６９】
このｍＲＮＡに由来するタンパク質のすべて、すなわち、変異型および翻訳後修飾型すべてが本発明の範囲内である。
【００７０】
本発明の好ましい実施形態では、内部抽出標準タンパク質は１４‐３‐３タンパク質ガンマである。
【００７１】
本発明の第３の態様は、モノアミンオキシダーゼ‐Ｂ、凝固第ＸＩＩＩａ因子、トロポミオシン（αおよびβ）、ＷＤ‐リピートタンパク質１ならびにＡｐｏＥ４から選択され
る、血小板タンパク質が少なくとも固定化された、個別のテスト領域を含む固体担体を含むバイオチップを提供する。好ましい実施形態では、その固体担体は、表３または表４に特定された１つ以上のタンパク質の、固定化されたリガンドをさらに含む。好ましくは、固体担体は、野生型ＧＳＴＯ‐１、変異型ＧＳＴＯ‐１およびアポリポタンパク質Ｅのうちの、１つ以上のリガンドをさらに含む。
【００７２】
本発明のバイオチップの使用は、迅速で、正確で、使い易い形式で、患者試料の多検体スクリーニングを可能にする。多検体方法は、時間およびコスト削減を超える利点があり、それは、効率の増加および臨床成績の向上へ向かって進むにあたり不可欠である。従来の診断は、通常、幾つかは必要であるものの、単検体アッセイの形をとり、よって、試料量を増加させ、場合により、複数回の患者の検査受診（ａｔｔｅｎｄａｎｃｅ）を必要とし、診断までの時間が増加する。多検体アッセイは、アッセイすべてが、単一の患者試料を使って行われるので、患者の不快感を減らし、患者からの複数の試料採取を必要のないものにする。
【００７３】
本明細書で使用する場合、「リガンド」という用語は、標的に結合する分子を指す。本発明のバイオチップのリガンドは、抗体、抗原または核酸であってよい。
【００７４】
表２から理解されることができるように、アルゴリズムＡの適用は、バイオチップがモノアミンオキシダーゼ‐Ｂ、凝固第ＸＩＩＩａ因子、α‐トロポミオシン、β‐トロポミオシン、アポリポタンパク質Ｅ４、アポリポタンパク質Ｅおよび野生型（ｗｔ）ＧＳＴＯ‐１に対するリガンドを含むことを必要とする。アルゴリズムＢの適用は、バイオチップが、モノアミンオキシダーゼ‐Ｂ、凝固第ＸＩＩＩａ因子、α‐トロポミオシン、β‐トロポミオシン、アポリポタンパク質Ｅ４、アポリポタンパク質Ｅのみに対するリガンドを含むことを必要とする。アルゴリズムＣの適用は、バイオチップが、モノアミンオキシダーゼ‐Ｂ、凝固第ＸＩＩＩａ因子、α‐トロポミオシン、β‐トロポミオシン、アポリポタンパク質Ｅ４、アポリポタンパク質Ｅおよび変異型（ｍｔ）ＧＳＴＯ‐１に対するリガンドを含むことを必要とする。アルゴリズムＤおよびＥの適用は、バイオチップが、モノアミンオキシダーゼ‐Ｂ、凝固第ＸＩＩＩａ因子、α‐トロポミオシン、β‐トロポミオシン、アポリポタンパク質Ｅ４、アポリポタンパク質Ｅならびに野生型（ｗｔ）ＧＳＴＯ‐１（アルゴリズムＤのみ）および変異型（ｍｔ）ＧＳＴＯ‐１（アルゴリズムＥのみ）に対するリガンドを含むことを必要とする。
【００７５】
（ｗｔ）ＧＳＴＯ‐１および（ｍｔ）ＧＳＴＯ‐１についての遺伝子型判定データのみが、モデルに含まれている場合、野生型（ｗｔ）ＧＳＴＯ‐１および変異型（ｍｔ）ＧＳＴＯ‐１についてのアッセイは互換可能である。タンパク質発現量を介しての遺伝子型判定が考えられる場合も、野生型（ｗｔ）ＧＳＴＯ‐１および変異型（ｍｔ）ＧＳＴＯ‐１についてのアッセイは同様に互換可能である。しかしながら、該モデルは、それぞれのタンパク質濃度を使用する場合に、より良く機能するので、遺伝子型判定データのみの使用は、診断の正確さの減少をもたらすことになる。
【００７６】
本発明による患者試料中の特定の血小板タンパク質の発現は、標準存在量の点から、好ましくはバイオチップアレイ系を使って定量される。試料中に存在するタンパク質が、バイオチップ表面上に固定されたリガンドと形成される相互作用によって特定されるように、本発明のバイオチップを、患者の血小板細胞溶解物試料と接触させ、次に、その表面を洗浄する。リガンド‐タンパク質相互作用は、電荷結合素子（ＣＣＤ）超冷却カメラなどの画像（処理）システムを使って、迅速に検出および分析可能な化学発光信号を生じ、個々の検体を同時に定量する。バイオチップへの試料の添加およびそれに続く洗浄、インキュベーションおよび信号試薬工程は、完全自動化、または用手適用によってのいずれでもよい。血小板タンパク質発現測定の結果は、２つの連続した正規化手順を経る。第一の手
順は、背景補正、参照スポットおよび補正スポット検証などの、バイオチップアレイ系を用いて得られた信号の技術的なばらつきの補正のための手順にかかわる。
【００７７】
未知試料の信号を校正曲線と比較することによって、未知試料のタンパク質濃度を得る。全血中および単離された試料中の血小板濃度は、個人間で異なり、それ故に、試料中のＡＤバイオマーカータンパク質濃度に影響を及ぼす。したがって、第２の標準化手順であるアルツハイマー病バイオマーカーの標準存在量の計算が必要である。（表３および４から選択される）１つ以上の内部抽出標準タンパク質を、アルツハイマー病バイオマーカーと同時に測定する。標準存在量値は、アルツハイマー病バイオマーカーの発現量と内部抽出標準または複数の内部抽出標準の合計との比に相当する。
【００７８】
あるいは、発現量を、２Ｄ  ＤＩＧＥ分析を使って、ＤｅＣｙｄｅｒソフトウエア６．５（ＧＥ  ヘルスケア）などのソフトウエアを使ってゲル上の対応するスポットの標準存在量を計算して決定することができる。
【００７９】
２Ｄ  ＤＩＧＥ系でも、タンパク質の標準存在量を得るために使用される２つの連続した手順がある。第１の手順（正規化）は、第１のゲルおよび第２のゲルイメージの間のスポット比からデータヒストグラムを計算することによる正規化係数の計算にかかわる。正規分布曲線をヒストグラムに合わせ、得られたモデル曲線の中央が正規化係数である。次に、正規化係数：
Ｃ’：Ｖ１ｉ’＝Ｖ１ｉ×１０Ｃ’（ｉｉ）
を使って、第１のスポットマップ中のスポット体積を正規化する。
式中、Ｖ１ｉ’は、第１のゲル像中のスポットｉの正規化された体積；及およびＶ１ｉは第１のゲル画像中のスポットｉの体積である。
【００８０】
第２の手順は、通常は研究においてテストする試料すべての集まりであり、各二次元ＤＩＧＥゲル上に存在する、内部標準の使用にかかわる。異なるゲルからの各標準像について標準化された量比を値１．０に設定する。次に、各試料スポットについての発現比を、同じゲル内の、その対応する標準スポットに関連付け、よって、異なるゲルにおける一致したタンパク質スポット間の比を比較することを可能にする。
【００８１】
得られた標準存在量値は、何倍変化したかで表わされる、正規化されたタンパク質スポット量と正規化された内部標準スポット量との比である。
【００８２】
グラフ表示および統計分析において尺度を変える助けをするために、標準化された値のＬｏｇ10を使用することによって上述の計算を修正することができる。
【００８３】
以下の非限定的実施例は、本発明の態様を説明する。
【実施例】
【００８４】
実施例１：単一バイオマーカーアッセイおよび３、４および５つのアルツハイマー病の診断のためのバイオマーカーを含むアッセイの分析
試料を２つの段階で採集し、発見セットおよび検証セットに分けた。各血小板タンパク質の標準的な存在量を２Ｄ‐ＤＩＧＥを使って測定し、各バイオマーカーについての最適カットオフ、実際のカットオフ、感度および特異性の値を得るために、ＲＯＣ曲線を作成した。これら単一タンパク質アッセイの各々についての結果を表５に示す。
【００８５】
【表５】
0005878875.tif 000006
【００８６】
アルツハイマー病の診断における基準値として使用するためのカットオフ（対照）値を得るために、３つおよび４つバイオマーカーの組み合わせを同時にアッセイするアルゴリズムを開発した。これらのアルゴリズムを表６にまとめる。
【００８７】
【表６】
0005878875.tif 000007
【００８８】
理論的な閾値を全値が陽性ＡＤ診断を表すより上に設定した。各アルゴリズムについて計算された値を理論的な閾値と比較し、閾値より高い結果をアルツハイマー病の陽性診断に対応させた。次に、これらの診断を、２つの試験群（ＡＤ群および対照群）からの実際の診断と比較した。この比較から、偽陽性および偽陰性を決定し、特異性および感度の値を計算した。ＲＯＣ曲線の各点は、特定の特異性および感度をもつ閾値（対照値）に対応する。
【００８９】
全ＲＯＣ曲線を得るために、理論的な閾値の値を連続的に増加し、各々の閾値についての特異性および感度を決定した。
【００９０】
グラフの左上角に最も近いＲＯＣ曲線の点が、最適カットオフ、即ち最も高い感度および特異性に対応する。ＲＯＣ曲線上のその左上角（０，１）から各点の距離を、次式を使って計算した。
【００９１】
【数１】
0005878875.tif 000008
【００９２】
もっとも低い距離の値をもつ点が、最良の特異性および感度をもつ対照値に対応する。ＲＯＣ曲線から導かれた結果を表７に示す。
【００９３】
最終的に、モデル１〜４のアルゴリズムを考案した。これらは、本発明の７つのバイオマーカーの発現を考慮に入れている（表２を参照のこと）。
【００９４】
ＲＯＣ曲線をこれらバイオマーカーの組合せについて作成し、得られた散布図から、対照値を計算した（図２〜４を参照のこと）。くわえて、モデル２および３は、野生型ＧＳＴＯ‐１が、ＡＰＯＥ４対立遺伝子を１つも持たないアルツハイマー病患者では、過剰出現する一方で、ｗｔＧＳＴＯ‐１はＡＰＯＥ４陽性のアルツハイマー病患者では、過少出現するという知見を考慮に入れている。
【００９５】
モデル１〜３についての結果を表８に示す。データを評価する際、最も正確な分析を表すので、ＲＯＣ曲線下の面積（ＡＵＣ）の高い値、ならびに高い特異性値および高感度値が望ましい。「実際のカットオフ」の値はマーカーで塗られており（ｈｉｇｈｌｉｇｈｔｅｄ）；これらは、アルツハイマー病の診断のための本発明の方法において使用した対照値である。
【００９６】
表８の結果を見てもわかるように、モデル３が最も高いＡＵＣ値（０．９４９）を有し、最も正確なアッセイである。モデル３は、ＧＳＴＯ‐１遺伝子型に関してＡｐｏＥ４陽性とＡｐｏＥ４陰性ＡＤ患者との間の違いを考慮に入れているので、モデル１より良い結果を生むと思われる。
【００９７】
モデル３では、アルゴリズムＡをＡｐｏＥ４陰性テスト対象に対して使用するのみである。ＡｐｏＥ４陽性対象を診断するために、ＡｐｏＥ４陽性テスト対象により良く適合する第２のアルゴリズムが必要とされる。したがって、モデル３には２つのアルゴリズム（ＡよびＣ）があり、それぞれを、テスト対象の特定の群（ＡｐｏＥ４陰性試験者またはＡｐｏＥ４陽性試験者）に対してのみ使用し、それによって、ＡＤ診断法の正確さが上がる。
【００９８】
モデル４はアルゴリズムＤおよびＥ（それぞれ、ＡｐｏＥ４陰性およびＡｐｏＥ４陽性）を含む。これらのアルゴリズムは、血小板タンパク質ＷＤ‐リピートタンパク質１が含まれるという点でＡ〜Ｃとは異なる。８．１のカットオフ値を使って導かれた、各タンパク質についての加重係数を表９に示す。そのＲＯＣ曲線（ＡＵＣ）を図５に示す。
【００９９】
【表７−１】
0005878875.tif 000009
【０１００】
【表７−２】
0005878875.tif 000010
【０１０１】
【表８−１】
0005878875.tif 000011
【０１０２】
【表８−２】
0005878875.tif 000012
【０１０３】
【表９】
0005878875.tif 000013
【０１０４】
しかしながら、これらのモデルおよびアルゴリズムは、２Ｄ  ＤＩＧＥデータに対して
最適化され、本発明を限定するよりはむしろ、例示的に説明するために、本明細書に提示されていることに注意しなければならない。バイオチップデータに対して最適化されたモデルおよび最適化されたアルゴリズムは、２Ｄ  ＤＩＧＥデータとは異なる。モデルの原理は、同じままでありうるが、特定のＡＤバイオマーカーの加重は異なる可能性が非常に高いであろう。
【０１０５】
実施例２：内部抽出標準タンパク質としての１４‐３‐３ガンマの選択
２４人のアルツハイマー病患者、および２４人の性別および年齢が一致した対照からの１２．５μｇの血小板タンパク質を、１Ｄ  ウェスタンブロットで分析した。結果を図６に図示し、その図は１４‐３‐３ガンマの信号（シグナル）の強度は、すべての試料において等しいのに対して、Ｍａｏ‐Ｂの信号は、アルツハイマーの患者からの血小板試料のほうが、対照試料より強いことを示す。図７に示すように、全く正規化することなしに１２．５μｇの血小板タンパク質のＭｏａ‐Ｂ信号を測定すると、低い有意性（Ｐ＜０．０１）の増加しか、アルツハイマーの試料中に検出されない。しかしながら、１４‐３‐３ガンマを用いて正規化をした後、有意性はＰ＜０．０００００００７に増加し、このことは、試料中でタンパク質を定量することができる精度が、内部抽出標準の適用で大幅に増加することを示す。
【０１０６】
図８は、内部抽出標準としてＥＲＫ２を適用した代表的なウェスタンブロットを示す。１４‐３‐３ガンマおよびＥＲＫ２についての信号はすべての血小板試料で変わりがないのに対し、アルツハイマーの患者の血小板におけるＭａｏ‐Ｂ発現についての信号は、対照試料と比較してより強い。
【０１０７】
実施例３：ＧＳＴＯ‐１におけるアルツハイマー病ポリモーフィズムの検証
２Ｄゲル電気泳動分析は、６．１９、５．８７および５．６４のｐＩ値をもつ３つのＧＳＴＯ‐１アイソフォームを明らかにした（図９）。これらのアイソフォームは、３つの群：ＡＤ患者、ＰＤ患者ならびに年齢および性別が一致した対照において異なる発現パターン示す。ゲルろ過した非ＡｐｏＥアルツハイマーの患者の血小板試料は、ｐＩ６．１９をもつＧＳＴＯ‐１アイソフォームが著しく上方制御（３５％の増加）され、一方、ｐＩ５．８７をもつＧＳＴＯ‐１アイソフォームが６０％下方制御されることを明らかにした。
【０１０８】
図９の結果は、ＧＳＴＯ‐１のエクソン４における２つのミスセンスポリモーフィズム（Ａｌａ１４０ＡｓｐおよびＧｌｕ１５５Δ）を表す。ｐＩ６．１９をもつＧＳＴＯ‐１スポットはＷＴに対応する。ｐＩ５．８７をもつスポットは、Ａｌａ１４０がアスパラギン酸で置換されている（Ａｌａ１４０Ａｓｐ）アイソフォームを表す。ｐＩ５．６４をもつスポットは未知の起源の翻訳後修飾に関係している可能性がある。ｐＩ６．１９およびｐＩ５．８７をもつＧＳＴＯ‐１スポットの等しい発現は、それぞれ、野生型アイソフォームおよびＡｌａ１４０Ａｓｐ置換を含むアイソフォームに対応する。ｐＩ５．８７の唯一のスポットは、アミノ酸１４０位でのホモ接合型のアスパラギン酸／アスパラギン酸ＧＳＴＯ‐１遺伝子型を表す。あるいは、１つの対立遺伝子上でＧｌｕ１５５Δの欠失、およびもう一方の対立遺伝子上でＡｌａ１４０ＡｓｐＧＳＴＯ‐１遺伝子型をもつ個人に見られうる。Ｇｌｕ１５５Δ欠失をもつポリペプチドは、発現されないか、急激に分解されると思われるので、Ａｓｐ１４０をもつポリペプチドのみが検出されることになる。
【０１０９】
実施例４：アルツハイマー病とパーキンソン病との識別
本発明の方法は、アルツハイマー病を患う患者パーキンソン病（ＰＤ）と患う患者とを識別するために使用することができ、表１０は、ＡＤ試料とＰＤ試料との比較を示す。
【０１１０】
図１０は、アルツハイマー病患者の群（ＡＤ発見群）およびパーキンソン病患者の群に
ついての散布図を示す。この結果は、本発明の方法にしたがって、モデル１のアルゴリズムをパーキンソン病患者の群およびアルツハイマー病患者の群に由来する血小板試料に適用することによって得た。発見段階におけるアルツハイマー病患者についての算出平均は、６．９２±１．２５（ＳＤ）であり、パーキンソン病患者については５．００±０．７４（ＳＤ）であった。カットオフを５．５３５に設定し、その値は、モデル１に関するアルツハイマー病発見セットにために決定されたカットオフ値である（図２ａおよび２ｂを参照のこと）。得られた散布図をみてわかるように、２つの患者群からの結果の間に明らかな差異がある。
【０１１１】
同様に、図１１は、アルツハイマー病患者の群（ＡＤ発見群）およびパーキンソン病患者の群についての散布図を示し、該散布図は、モデル２を２つの患者群に由来する血小板試料に適用することによって得た。発見段階におけるアルツハイマー病患者についての算出平均は、６．１２±０．８２（ＳＤ）であり、パーキンソン病患者については４．８７±０．８３（ＳＤ）であった。カットオフを５．４０５に設定し、その値は、モデル２に関するアルツハイマー病発見セットのために決定されたカットオフ値である（図３ａおよび３ｂを参照のこと）。この場合もやはり、各患者群についての散布図上の点の分布の間に明らかな差異がある。
【０１１２】
図１２は、アルツハイマー病患者の群（ＡＤ発見群）およびパーキンソン病患者の群についての散布図を示し、該散布図は、モデル３を２つの患者群に由来する血小板試料に適用することによって得た。発見段階におけるアルツハイマー病患者についての算出平均は、６．２８±０．９３（ＳＤ）であり、パーキンソン病患者については５．０１±０．７７（ＳＤ）であった。カットオフを５．５３５に設定し、その値は、モデル３に関するアルツハイマー病発見セットにために決定されたカットオフ値である（図４ａおよび４ｂを参照のこと）。この結果は、本発明の方法の３つのモデルのすべては、アルツハイマー病とパーキンソン病との間を識別するための診断アッセイに適用できることを示している。
【０１１３】
【表１０】
0005878875.tif 000014
【図１】
0005878875.tif 000015
【図１Ｂ】
0005878875.tif 000016
【図２ａ】
0005878875.tif 000017
【図２ｂ】
0005878875.tif 000018
【図２ｃ】
0005878875.tif 000019
【図２ｄ】
0005878875.tif 000020
【図３ａ】
0005878875.tif 000021
【図３ｂ】
0005878875.tif 000022
【図３ｃ】
0005878875.tif 000023
【図３ｄ】
0005878875.tif 000024
【図４ａ】
0005878875.tif 000025
【図４ｂ】
0005878875.tif 000026
【図４ｃ】
0005878875.tif 000027
【図４ｄ】
0005878875.tif 000028
【図５】
0005878875.tif 000029
【図６】
0005878875.tif 000030
【図７】
0005878875.tif 000031
【図８】
0005878875.tif 000032
【図９】
0005878875.tif 000033
【図１０】
0005878875.tif 000034
【図１１】
0005878875.tif 000035
【図１２】
0005878875.tif 000036